(57)【要約】【課題】  回路構成が単純、且つ、低コストでありながら、フリッカを目立たなくさせ、高画質化を達成することができる表示装置を提供する。【解決手段】  複数の液晶パネルで変調された光を合成して画像を表示する表示装置であって、第１の液晶パネルを駆動する第１の駆動手段と、第２の液晶パネルを駆動する第２の駆動手段と、第３の液晶パネルを駆動する第３の駆動手段とを有し、前記第１の駆動手段は、入力信号のフレームレートを高速変換して、前記第１の液晶パネルを駆動し、前記第２の駆動手段および前記第３の駆動手段は、フリッカの極性が互いに逆となるように、前記第２の液晶パネルおよび前記第３の液晶パネルをそれぞれ駆動することを特徴とする表示装置を提供する。【選択図】          図１
2006072051.tif 000002
【特許請求の範囲】
【請求項１】
複数の液晶パネルで変調された光を合成して画像を表示する表示装置であって、
第１の液晶パネルを駆動する第１の駆動手段と、
第２の液晶パネルを駆動する第２の駆動手段と、
第３の液晶パネルを駆動する第３の駆動手段とを有し、
前記第１の駆動手段は、入力信号のフレームレートを高速変換して、前記第１の液晶パネルを駆動し、
前記第２の駆動手段および前記第３の駆動手段は、フリッカの極性が互いに逆となるように、前記第２の液晶パネルおよび前記第３の液晶パネルをそれぞれ駆動することを特徴とする表示装置。
【請求項２】
前記第１の液晶パネルで変調される光の視感度は、前記第２の液晶パネルで変調される光の視感度および前記第３の液晶パネルで変調される光視感度よりも高いことを特徴とする請求項１に記載の表示装置。
【請求項３】
前記第１の駆動手段、前記第２の駆動手段および第３の駆動手段は、駆動信号の極性をフレーム毎に反転させることを特徴とする請求項１または２に記載の表示装置。
【請求項４】
前記第１の液晶パネル、前記第２の液晶パネルおよび前記第３の液晶パネルは、反射型液晶パネルであることを特徴とする請求項１〜３のいずれか１つに記載の表示装置。
【請求項５】
前記第１の液晶パネルは緑色用液晶パネルで、前記第２の液晶パネルは赤色用液晶パネルで、前記第３の液晶パネルは青色用液晶パネルであることを特徴とする請求項１〜４のいずれか１つに記載の表示装置。
【発明の詳細な説明】
【技術分野】
【０００１】
本発明は、一般には、表示装置に係り、特に、液晶プロジェクタなどの投射型の表示装置に関する。本発明は、例えば、反射型液晶パネルを有する液晶プロジェクタに好適である。
【背景技術】
【０００２】
近年、液晶プロジェクタなどの投写型表示装置は、プレゼンテーションや会議などの業務分野から授業や講義などの学校教育分野にまで普及してきている。特にここ数年は、ホームシアター市場など一般家庭にも普及し始め、明るさやコントラストの他に、高画質化が要求されてきている。表示デバイスとしても、透過型液晶、反射型液晶、デジタル・マイクロミラー・デバイス（ＤＭＤ：Ｄｉｇｉｔａｌ  Ｍｉｃｒｏｍｉｒｒｏｒ  Ｄｅｖｉｃｅ）など複数のデバイスが存在し、その中でも反射型液晶が高開口率、高速応答性などの利点から、高画質に適したデバイスとして注目を浴びてきている。
【０００３】
図９を参照して、反射型液晶と透過型液晶との構造の違いを簡単に説明する。図９（ａ）は透過型液晶の構造を示し、図９（ｂ）は反射型液晶の構造を示したものである。図９（ａ）を参照するに、透過型液晶１０００Ａは、入射光が透明電極１１００Ａを通過する構造のため、駆動素子１２００Ａやその配線を遮光する遮光層（ブラックマトリクス）１３００Ａが必要となる。このため、開口率が低下し、投射した際に映像に粒状感が目立ってしまうという欠点がある。
【０００４】
一方、反射型液晶１０００Ｂは、駆動素子１２００Ｂを反射電極１１００Ｂの背面に配置することが可能であるため、遮光層が存在しない。このため、高い開口率が得られ、投射した際に映像がなめらかという長所がある。更に、反射型液晶は、入射光が液晶層を往復するような構造のため、液晶層の厚み（セルギャップ）を薄くすることが可能であり、その結果、応答性に優れているという長所もある。従って、反射型液晶は、高画質化に適したデバイスとされている。
【０００５】
しかし、反射型液晶は、遮光層が存在しない構造であるため、透過型液晶と同様な交流駆動方法では、コントラストの低下などの問題を引き起こしてしまう。このため、反射型液晶では、別の交流駆動方法が必要となる。
【０００６】
図１０は、透過型液晶と反射型液晶との交流駆動の違いを説明するための図である。透過型液晶では、図１０（ａ）に示すように、一般的に、ライン反転駆動を行っている。１水平走査期間毎、且つ、１垂直走査期間毎に共通電極電位（ＶＣＯＭ）に対する極性を反転させることで、液晶の焼き付けの防止をしている。かかるライン反転駆動は、上下１ラインおきにフリッカが存在するラインフリッカであるため、人間の眼にはフリッカとして認識されない。
【０００７】
一方、反射型液晶で上述のライン反転駆動を行うと、遮光層が存在しないために上下ライン間で横電界（電界の漏れ）が発生し、コントラストの低下を引き起こしてしまう。そこで、反射型液晶では、図１０（ｂ）に示すように、垂直走査周期毎に共通電極電位（ＶＣＯＭ）に対する極性を反転させるフレーム反転駆動を行っている。しかし、フレーム反転駆動では、１フレーム内が全画素同極性であるため、人間の眼にはフレームフリッカとして認識されてしまう。かかるフレームフリッカを目立たなくさせるために、反射型液晶では、フレームレートを高速（例えば、２倍）に変換して駆動する必要がある。
【０００８】
図１１は、従来の駆動方法を用いた反射型液晶を有するプロジェクタ２０００の構成を示す概略ブロック図である。図１１を参照するに、Ａ／Ｄ変換器２１００によってディジタル値に変換された入力映像は、画像処理部２２００にてプロジェクタ２０００におけるメインの画像処理（ＲＧＢ／ＹＣｒＣｂ変換の色処理等）が行われる。画像処理が施された映像信号及び同期信号（Ｓ１．Ｒ、Ｓ１．Ｇ、Ｓ１．Ｂ）は、ＲＧＢ毎にフレームレート変換回路２３００Ｒ、２３００Ｇ及び２３００Ｂに入力され、フレームレートの高速変換（例えば、２倍速）が施され、フリッカが目立たない約１００Ｈｚ乃至１２０Ｈｚ程度に変換される。フレームレートが高速変換された映像信号及び同期信号（Ｓ２．Ｒ、Ｓ２．Ｇ、Ｓ２．Ｂ）は、パネル駆動部２４００Ｒ、２４００Ｇ及び２４００Ｂに入力され、パネル２５００Ｒ、２５００Ｇ及び２５００Ｂを駆動するための駆動パルス信号（Ｓ３．Ｒ、Ｓ３．Ｇ、Ｓ３．Ｂ）が生成される。
【０００９】
同期信号Ｓ１（Ｓ１．Ｒ、Ｓ１．Ｇ、Ｓ１．Ｂ）及びＳ２（Ｓ２．Ｒ、Ｓ２．Ｇ、Ｓ２．Ｂ）、駆動パルス信号Ｓ３（Ｓ３．Ｒ、Ｓ３．Ｇ、Ｓ３．Ｂ）の信号波形を図１２に示す。図１２を参照するに、フレームレートが高速変換された後の信号Ｓ２及びＳ３は、全ての色の入力信号Ｓ１に対して、２倍速で駆動されることになる。
【００１０】
また、その他の従来技術としては、各色の信号の極性を反転させてフリッカを目立たなくさせたプロジェクタ及び調整方法も提案されている（例えば、特許文献１参照。）。
【特許文献１】特開２００２−４９０２０号公報
【発明の開示】
【発明が解決しようとする課題】
【００１１】
しかしながら、反射型液晶で一般的に行われているフレーム反転駆動を行った場合、フレームレートを高速変換する変換回路が必ず必要となり、回路構成の複雑化、高コスト化の原因となっている。更に、フレームレートを高速変換した後の高速な映像信号や駆動パルス信号の基板上への配線が多数の箇所に必要となるため、設計の困難や不要輻射の悪化など、様々な悪影響を引き起こすことになる。
【００１２】
一方、フレームレートを高速変換せずに、各色の信号の極性を反転させただけでは、フリッカを目立たなくさせて、要求される高画質化を達成するには不十分であった。
【００１３】
そこで、本発明は、回路構成が単純、且つ、低コストでありながら、フリッカを目立たなくさせ、高画質化を達成することができる表示装置を提供することを例示的目的とする。
【課題を解決するための手段】
【００１４】
上記目的を達成するために、本発明の一側面としての表示装置は、複数の液晶パネルで変調された光を合成して画像を表示する表示装置であって、第１の液晶パネルを駆動する第１の駆動手段と、第２の液晶パネルを駆動する第２の駆動手段と、第３の液晶パネルを駆動する第３の駆動手段とを有し、前記第１の駆動手段は、入力信号のフレームレートを高速変換して、前記第１の液晶パネルを駆動し、前記第２の駆動手段および前記第３の駆動手段は、フリッカの極性が互いに逆となるように、前記第２の液晶パネルおよび前記第３の液晶パネルをそれぞれ駆動することを特徴とする。
【００１５】
本発明の更なる目的又はその他の特徴は、以下、添付図面を参照して説明される好ましい実施例によって明らかにされるであろう。
【発明の効果】
【００１６】
本発明によれば、回路構成が単純、且つ、低コストでありながら、フリッカを目立たなくさせ、高画質化を達成することができる表示装置を提供することができる。
【発明を実施するための最良の形態】
【００１７】
以下、添付図面を参照して、本発明の一側面である表示装置について説明する。なお、各図において、同一の部材については同一の参照番号を付し、重複する説明は省略する。図１は、本発明の表示装置１００の構成を示す概略ブロック図である。
【００１８】
表示装置１００は、複数のパネル１５０で変調された光を合成して画像を形成する。表示装置１００は、本実施形態では、液晶プロジェクタとして具現化される。表示装置１００は、図１に示すように、入力信号処理部１１０と、メイン画像処理部１２０と、フレームレート変換回路１３０と、駆動回路１４０（駆動回路１４０は、駆動回路１４０Ｒ、１４０Ｇ及び１４０Ｂを総括するものとする。）と、パネル１５０（パネル１５０は、パネル１５０Ｒ、１５０Ｇ及び１５０Ｂを総括するものとする。）とを有する。
【００１９】
入力信号処理部１１０は、入力映像Ｖ０を入力信号形態に応じてＲＧＢ又はＹＣｒＣｂの形式でデコードを行う。入力信号処理部１１０は、具体的には、入力映像Ｖ０をＲ（赤）／Ｇ（緑）／Ｂ（青）、若しくは、Ｙ（輝度）／Ｃｒ（色差成分（赤））／Ｃｂ（色差成分（青））のディジタル値に変換する。
【００２０】
メイン画像処理部１２０は、ディジタル画像データに対して、ＩＰ（インターレース−プログレッシブ）変換、解像度変換や台形補正などの幾何学的信号処理、カラーマトリックス、ホワイトバランス、ＲＧＢ／ＹＣｒＣｂ変換などの色変換処理、ガンマ（γ）補正などの輝度処理など、表示装置１００におけるメイン画像処理を行う。メイン画像処理部１２０は、本実施形態では、ＲＧＢ形式で各色独立に同期信号（Ｓ１．Ｒ、Ｓ１．Ｇ、Ｓ１．Ｂ）を出力する。
【００２１】
フレームレート変換回路１３０は、メイン画像処理が施された映像信号及び同期信号（Ｓ１．Ｒ、Ｓ１．Ｇ、Ｓ１．Ｂ）のうち、緑色の同期信号Ｓ１．Ｇに対してフレームレートの高速変換を行う。フレームレート変換回路１３０は、例えば、入力ドットクロックを逓倍化するＰＬＬ回路、少なくともフレーム１面分を記憶するフレームメモリなどで構成され、本実施形態では、フレームレートを２倍速に変換する。フレームレート変換回路１３０は、フレームレートを高速変換した同期信号Ｓ２．Ｇを出力する。
【００２２】
駆動回路１４０Ｒ、１４０Ｇ及び１４０Ｂは、メイン画像処理部１２０から入力される同期信号Ｓ１．Ｒ、フレームレート変換回路１３０から入力される同期信号Ｓ２．Ｇ及びメイン画像処理部１２０から入力されるＳ１．Ｂのタイミング（フレームレート）に応じて、相展開、Ｄ／Ａ変換、信号増幅及びパネル１５０Ｒ、１５０Ｇ及び１５０Ｂを駆動する駆動パルス信号（Ｓ３．Ｒ、Ｓ３．Ｇ、Ｓ３．Ｂ）の生成を行う。
【００２３】
パネル１５０は、本実施形態では、図９（ｂ）に示したような反射型液晶であり、駆動回路１４０が生成した駆動パルス信号（Ｓ３．Ｒ、Ｓ３．Ｇ、Ｓ３．Ｂ）に従って、駆動される。
【００２４】
表示装置１００の動作において、入力信号Ｖ０は、入力信号処理部１１０でＲＧＢ形式にデコードされ、メイン画像処理部１２０でメイン画像処理が施され、各色独立した同期信号（Ｓ１．Ｒ、Ｓ１．Ｇ、Ｓ１．Ｂ）で出力される。緑色の同期信号Ｓ１．Ｇは、フレームレート変換回路１３０において、フレームレートの高速変換が行われた後、駆動回路１４０Ｇに入力される。一方、赤色及び青色の同期信号Ｓ１．Ｒ及びＳ１．Ｂは、駆動回路１４０Ｒ及び１４０Ｂに直接入力される。駆動回路１４０Ｒ、１４０Ｇ及び１４０Ｂに入力された同期信号Ｓ１．Ｒ、Ｓ２．Ｇ及びＳ１．Ｂは、駆動パルス信号（Ｓ３．Ｒ、Ｓ３．Ｇ、Ｓ３．Ｂ）に変換され、パネル１５０Ｒ、１５０Ｇ及び１５０Ｂを駆動する。
【００２５】
なお、赤色及び青色の駆動パルス信号Ｓ３．Ｒ及びＳ３．Ｂは、互いに、後述するある条件で駆動されることにより、フリッカを目立たなくさせることが可能である。
【００２６】
以上のような構成の表示装置１００を駆動させた場合の、同期信号Ｓ１（Ｓ１．Ｒ、Ｓ１．Ｇ、Ｓ１．Ｂ）及びＳ２（Ｓ２．Ｇ）、駆動パルス信号Ｓ３（Ｓ３．Ｒ、Ｓ３．Ｇ、Ｓ３．Ｂ）の信号波形を図２に示す。図２を参照するに、例えば、赤色の駆動パルス信号Ｓ３．Ｒ及び青色の駆動パルス信号Ｓ３．Ｂのフレームレートを６０［Ｈｚ］とすると、緑色の駆動パルス信号Ｓ３．Ｇのフレームレートは１２０［Ｈｚ］である。同様に、赤色の駆動パルス信号Ｓ３．Ｒ及び青色の駆動パルス信号Ｓ３．Ｂのドットクロックをｆｃｌｋ［Ｈｚ］とすると、緑色の駆動パルス信号Ｓ３．Ｇのドットクロックは２×ｆｃｌｋ［Ｈｚ］となる。換言すれば、緑色のフレームレートの高速変換処理後においては、映像信号、水平同期信号、垂直同期信号（フレームレート）及びドットクロックの全ての信号が、２倍速になる。
【００２７】
ここで、フレームレート変換回路１３０の構成について詳細に説明する。図３は、フレームレート変換回路１３０の構成を示す概略ブロック図である。本実施形態では、フレームレート変換回路１３０として、フレームレートを２倍に変換する回路構成を例に説明する。フレーム変換回路１３０は、ＰＬＬ回路１３２と、タイミング発生回路１３４と、フレームメモリ１３６と、メモリコントローラ１３８とを有する。
【００２８】
フレームレート変換回路１３０に入力される入力信号は、図３に示すように、画像クロック信号ＤＣＬＫ１、水平同期信号ＨＳ１、垂直同期信号ＶＳ１、画像信号ＶＤＡＴ１［ｎ］である。画素クロック信号ＤＣＬＫ１は、ＰＬＬ回路１３２により逓倍され、２倍速の画素クロック信号ＤＣＬＫ２を生成する。更に、タイミング発生回路１３４は、２倍速の画素クロック信号ＤＣＬＫ２を用いて、２倍速の水平同期信号ＨＳ２と、２倍速の垂直同期信号ＶＳ２を生成する。
【００２９】
一方、画像信号ＶＤＡＴ１［ｎ］は、画素クロック信号ＤＣＬＫ１と同一レートであるメモリ書き込みクロックＷＣＬＫに同期してフレームメモリ１３６に書き込まれ、同時に、２倍速の画素クロック信号ＤＣＬＫ２と同一レートであるメモリ読み出しクロックＲＣＬＫに同期してフレームメモリ１３６から読み出され、２倍速の画像信号ＶＤＡＴ２［ｎ］を出力する。
【００３０】
フレームメモリ１３６に対するメモリ書き込みやメモリ読み出しの調停やタイミング制御は、タイミング発生回路１３４からの信号を基に、メモリコントローラ１３８が行う。
【００３１】
ここで、画像クロック信号ＤＣＬＫ１、水平同期信号ＨＳ１、垂直同期信号ＶＳ１、２倍速の画像クロック信号ＤＣＬＫ２、２倍速の水平同期信号ＨＳ２、２倍速の垂直同期信号ＶＳ２の周波数を、それぞれｆ＿ｄｃｌｋ１、ｆ＿ｈｓ１、ｆ＿ｖｓ１、ｆ＿ｄｃｌｋ２、ｆ＿ｈｓ２、ｆ＿ｖｓ２とすると、以下の数式１乃至数式３で示される関係が成り立つ。
【００３２】
【数１】
2006072051.tif 000003
【００３３】
【数２】
2006072051.tif 000004
【００３４】
【数３】
2006072051.tif 000005
【００３５】
以上のようなフレームレート変換回路１３０の構成により、入力信号（クロック、同期信号、画像信号）に対して２倍速変換が行われる。
【００３６】
次に、駆動回路１４０の構成について詳細に説明する。図４は、駆動回路１４０の構成を示す概略ブロック図である。駆動回路１４０は、図４に示すように、相展開部１４２と、Ｄ／Ａ変換部１４４と、基準電圧発生部１４６と、タイミング発生部１４８とを有する。
【００３７】
ここで、図４及び図５を参照して、駆動回路１４０における各構成要素の信号の流れを説明する。図５は、駆動回路１４０の信号タイミングを示す図である。
【００３８】
入力映像信号ＶＤＡＴ２［ｎ］は、相展開部１４２により、複数の相（ＶＤＡＴ２＿ｘ［ｎ］（ｎが相数））にデマルチプレクスされる。本実施形態では、８相（ｘ＝８）の場合を例にしている。相展開部１４２で相展開が行われることにより、内部におけるデータレートは１／８となる。
【００３９】
相展開された信号ＶＤＡＴ２＿ｘ［ｎ］は、Ｄ／Ａ変換部１４４において相毎にディジタル−アナログ変換されて、パネル映像信号ＶＳＩＧ＿ｘとなる。更に、Ｄ／Ａ変換部１４４においては、パネル１５０の交流駆動のために必要な交流化も行われる。交流化とは、図６に示すように、ある周期単位で共通電極電位ＶＣＯＭに対し、パネル映像信号ＶＳＩＧ＿ｘの極性を反転させることである。Ｄ／Ａ変換部１４４は、本実施形態では、フレーム周期で反転する信号ＩＮＶを用いて、入力映像信号ＶＤＡＴ２［ｎ］をフレーム周期単位で反転動作させる。ここで、図６は、Ｄ／Ａ変換部１４４が行う交流化について説明するための図である。
【００４０】
基準電圧発生部１４６は、パネル１５０の共通電極電位ＶＣＯＭや、Ｄ／Ａ変換部１４４のリファレンス電圧ＶＲＥＦ等を発生させる。ここで、共通電極電位ＶＣＯＭは、投写画像におけるフリッカが最小になるように調整及び決定され、リファレンス電圧ＶＲＥＦは、パネル駆動電圧レンジ（白レベル／黒レベル）に応じて決定される。
【００４１】
タイミング発生部１４８は、２倍速の画像クロック信号ＤＣＬＫ２や、２倍速の水平同期信号ＨＳ２、２倍速の垂直同期信号ＶＳ２を用いて、パネル１５０の駆動に必要な駆動パルスＤＲＰＬＳを生成する。駆動パルスＤＲＰＬＳには、水平転送開始パルス、垂直転送開始パルス、水平転送クロック、垂直転送クロックなどが含まれる。
【００４２】
次に、赤色の駆動パルス信号Ｓ３．Ｒと青色の駆動パルス信号Ｓ３．Ｂとの駆動条件について説明する。上述したように、赤色のパネル１５０Ｒ及び青色のパネル１５０Ｂでは、フレームレートの高速変換を行わないため、１倍速（本実施形態では、フレームレート６０Ｈｚ）で駆動される。従って、パネル１５０のばらつきや面内のギャップむらなどにより若干ではあるが、フリッカが見えてしまう場合がある。そこで、図７を参照して説明するようなパネル１５０の駆動方法／調整方法を行うことで、フリッカを極力目立たなくさせることができる。図７は、本発明における赤色と青色のフリッカの調整について説明するための図である。
【００４３】
図７（ａ）は、赤色のパネル１５０Ｒを駆動するパネル駆動信号ＶＳＩＧＲ及びＶＣＯＭＲを、図７（ｂ）は、青色のパネル１５０Ｂを駆動するパネル駆動信号ＶＳＩＧＢ及びＶＣＯＭＢを示している。また、図７（ｃ）は、パネル駆動信号ＶＣＯＭＲを変化させてフリッカを調整した後の赤色の残留フリッカ成分を、図７（ｄ）は、パネル駆動信号ＶＣＯＭＢを変化させてフリッカを調整した後の青色の残留フリッカ成分を示している。
【００４４】
図７（ｃ）及び図７（ｄ）を参照するに、赤色の残留フリッカ成分と青色の残留フリッカ成分は同極性であるため、かかる２つを合成した合成残留フリッカ成分は、図７（ｅ）に示すように、大きくなってしまう。これは、赤色又は青色の単色のときは勿論、単色でないときも輝度フリッカとして見えてしまうことを意味する。
【００４５】
そこで、フリッカを調整する際に、図７（ｆ）及び図７（ｇ）に示すように、残留フリッカ成分が赤色と青色で逆極性になるように調整する。これにより、かかる２つを合成した合成残留フリッカ成分は、図７（ｈ）に示すように、小さくなる。これは、赤色又は青色の単色のときにはフリッカは変わらないが、単色でないときは輝度フリッカが小さくなることを意味する。
【００４６】
このような、フリッカの調整について、図８を参照して説明する。図８は、本発明におけるフリッカの調整を説明するためのフローチャートである。
【００４７】
まず、赤色のパネル調整を行う。詳細には、フリッカを見えやすい画像にするために中間調ラスタ表示を行う（ステップ３０２）。なお、ここでは、赤色（Ｒ）のみ中間調ラスタ表示を行い、青色（Ｂ）の中間調ラスタ表示は行わない（ミュート）。
【００４８】
そして、パネル駆動信号ＶＣＯＭＲを変化させ（ステップ３０４）、投射画像の赤色のフリッカ成分が最小となったかどうか判断する（ステップ３０６）。投射画像の赤色のフリッカ成分が最小となれば、調整後の赤色のフリッカ成分（残留フリッカ成分）の極性を記憶し（ステップ３０８）、最小でなければ、ステップ３０４に戻り、再度、パネル駆動信号ＶＣＯＭＲを変化させる。換言すれば、投射画像の赤色のフリッカ成分が最小になるまで、パネル駆動信号ＶＣＯＭＲを増加させる。
【００４９】
次に、青色のパネル調整を行う。詳細には、フリッカを見えやすい画像にするために中間調ラスタ表示を行う（ステップ３１０）。なお、ここでは、青色（Ｂ）のみ中間調ラスタ表示を行い、赤色（Ｒ）の中間調ラスタ表示は行わない（ミュート）。
【００５０】
そして、パネル駆動信号ＶＣＯＭＢを変化させ（ステップ３１２）、投射画像の青色のフリッカ成分が最小となったかどうか判断する（ステップ３１４）。投射画像の青色のフリッカ成分が最小でなければ、ステップ３１２に戻り、再度、パネル駆動信号ＶＣＯＭＢを変化させる。換言すれば、投射画像の青色のフリッカ成分が最小になるまで、パネル駆動信号ＶＣＯＭＲを増加させる。
【００５１】
投射画像の青色のフリッカ成分が最小になると、次に、調整後の青色のフリッカ成分（残留フリッカ成分）とステップ３０８で記憶した赤色の残留フリッカ成分との極性を比較する（ステップ３１６）。青色の残留フリッカ成分と赤色の残留フリッカ成分が互いに逆極性であれば調整を終了する。また、青色の残留フリッカ成分と赤色の残留フリッカ成分とが同極性であれば、パネル駆動信号ＶＣＯＭＢを１設定値増加又は減少させて、青色の残留フリッカ成分がステップ３０８における赤色の残留フリッカ成分に対して逆極性になるように変化させる（ステップ３１８）。
【００５２】
このようなフリッカの調整を行うことにより、常に赤色と青色の残留フリッカ成分が逆極性となる状態で駆動させることになり、同極性の状態で駆動されるときと比較して、フリッカが目立たなくなる。
【００５３】
以上、説明したように、本発明の表示装置１００は、緑色に関しては、視感度が高いため、従来技術と同様に、フレームレートを高速変換してフレームフリッカが目立つことを防止している。一方、赤色及び青色に関しては、単色ではフリッカが存在してしまうが、視感度が低いためにフリッカがあまり目立たないことを利用し、互いのフリッカの極性が逆極性になるように駆動又は調整することにより、フレームフリッカを目立たなくしている。従って、表示装置１００は、フレームレート変換回路の使用を極力抑え、回路構成が単純、且つ、低コストでありながら、フリッカを目立たなくさせ、高画質化を達成することができる。
【００５４】
以上、本発明の好ましい実施例について説明したが、本発明はこれらの実施例に限定されないことはいうまでもなく、その要旨の範囲内で種々の変形及び変更が可能である。
【図面の簡単な説明】
【００５５】
【図１】本発明の一側面としての表示装置の構成を示す概略ブロック図である。
【図２】図１に示す同期信号及び駆動パルス信号の信号波形の概略を示す図である。
【図３】図１に示すフレームレート変換回路の構成を示す概略ブロック図である。
【図４】図１に示す駆動回路の構成を示す概略ブロック図である。
【図５】図４に示す駆動回路の信号タイミングを示す図である。
【図６】図４に示すＤ／Ａ変換部が行う交流化について説明するための図である。
【図７】本発明における赤色と青色のフリッカの調整について説明するための図である。
【図８】本発明におけるフリッカの調整を説明するためのフローチャートである。
【図９】反射型液晶と透過型液晶との構造の違いを説明するための図であって、図９（ａ）は反射型液晶の構造を示す概略斜視図、図９（ｂ）は透過型液晶の構造を示す概略斜視図である。
【図１０】透過型液晶と反射型液晶との交流駆動の違いを説明するための図である。
【図１１】従来の駆動方法を用いた反射型液晶を有するプロジェクタの構成を示す概略ブロック図である。
【図１２】図１１に示す同期信号及び駆動パルス信号の信号波形の概略を示す図である。
【符号の説明】
【００５６】
１００                            表示装置
１１０                            入力信号処理部
１２０                            メイン画像処理部
１３０                            フレームレート変換回路
１３２                            ＰＬＬ回路
１３４                            タイミング発生回路
１３６                            フレームメモリ
１３８                            メモリコントローラ
１４０Ｒ、１４０Ｇ及び１４０Ｂ    駆動回路
１４２                            相展開部
１４４                            Ｄ／Ａ変換部
１４６                            基準電圧発生部
１４８                            タイミング発生部
１５０Ｒ、１５０Ｇ及び１５０Ｂ    パネル
【図１】
2006072051.tif 000006
【図２】
2006072051.tif 000007
【図３】
2006072051.tif 000008
【図４】
2006072051.tif 000009
【図５】
2006072051.tif 000010
【図６】
2006072051.tif 000011
【図７】
2006072051.tif 000012
【図８】
2006072051.tif 000013
【図９】
2006072051.tif 000014
【図１０】
2006072051.tif 000015
【図１１】
2006072051.tif 000016
【図１２】
2006072051.tif 000017